(57)【要約】  本発明は、ロック解除方法、装置、端末、プログラム及び記録媒体に関し、誤作動の確率を減少させるためのものである。当該方法は、端末のタッチスクリーンのエッジからの信号を収集するステップと、収集された信号に基づいて、前記端末がユーザーに把持されているか否かを判断するステップと、前記端末がユーザーに把持され、且つ前記端末がスリープ状態にある場合、前記端末に対してロック解除を行うステップと、を含む。本発明によれば、ユーザーが端末を把持した後に端末に対しロック解除を行うことができ、ユーザーのロック解除の便利性とスマート性を向上することができる。【選択図】図１
2017513154.tif 000002
【特許請求の範囲】
【請求項１】
端末のタッチスクリーンのエッジからの信号を収集するステップと、
収集された信号に基づいて、前記端末がユーザーに把持されているか否かを判断するステップと、
前記端末がユーザーに把持され、且つ前記端末がスリープ状態にある場合、前記端末に対してロック解除を行うステップと、
を含むことを特徴とするロック解除方法。
【請求項２】
前記端末がユーザーに把持され、且つ前記端末のタッチスクリーンにおいてタッチイベントが発生した場合、前記タッチイベントに対して応答するステップ、をさらに含むことを特徴とする請求項１に記載のロック解除方法。
【請求項３】
前記端末がユーザーに把持され、且つ前記端末のタッチスクリーンにおいてタッチイベントが発生した場合、第１タッチ時イベント応答閾値を用いてタッチイベントに対して応答するステップと、
前記端末がユーザーに把持されず、且つ前記端末のタッチスクリーンにおいてタッチイベントが発生した場合、第２タッチ時イベント応答閾値を用いてタッチイベントに対して応答するステップと、
をさらに含み、
前記第１タッチ時イベント応答閾値は、前記第２タッチ時イベント応答閾値より大きいことを特徴とする請求項１に記載のロック解除方法。
【請求項４】
収集された信号に基づいて、前記端末がユーザーに把持されているか否かを判断するステップは、
前記端末のタッチスクリーンの一方のエッジから第１信号と当該第１信号より弱い第２信号が収集され、前記端末のタッチスクリーンのもう一方のエッジから当該第１信号より弱い少なくとも一つの第３信号が収集されたか否かを判断するステップと、
前記第１信号、前記第２信号及び前記第３信号が収集された場合、前記端末がユーザーに把持されていると判断するステップと、
を含むことを特徴とする請求項１に記載のロック解除方法。
【請求項５】
収集された信号に基づいて、前記端末がユーザーに把持されているか否かを判断するステップは、
収集された信号に基づいて、前記端末がユーザーの左手又は右手により把持されているか否かを判断するステップを含み、
前記端末がユーザーに把持され、且つ前記端末がスリープ状態にある場合、前記端末に対してロック解除を行うステップは、
前記端末がユーザーの左手又は右手により把持され、且つ前記端末がスリープ状態にある場合、前記端末に対してロック解除を行うステップを含む、
ことを特徴とする請求項１に記載のロック解除方法。
【請求項６】
端末のタッチスクリーンのエッジからの信号を収集するための収集モジュールと、
収集された信号に基づいて、前記端末がユーザーに把持されているか否かを判断するための判断モジュールと、
前記端末がユーザーに把持され、且つ前記端末がスリープ状態にある場合、前記端末に対してロック解除を行うためのロック解除モジュールと、
を含むことを特徴とするロック解除装置。
【請求項７】
前記端末がユーザーに把持され、且つ前記端末のタッチスクリーンにおいてタッチイベントが発生した場合、前記タッチイベントに対して応答するための第１応答モジュール、をさらに含むことを特徴とする請求項６に記載のロック解除装置。
【請求項８】
前記端末がユーザーに把持され、且つ前記端末のタッチスクリーンにおいてタッチイベントが発生した場合、第１タッチ時イベント応答閾値を用いてタッチイベントに対して応答するための第２応答モジュールと、
前記端末がユーザーに把持されず、且つ前記端末のタッチスクリーンにおいてタッチイベントが発生した場合、第２タッチ時イベント応答閾値を用いてタッチイベントに対して応答するための第３応答モジュールと、
をさらに含み、
前記第１タッチ時イベント応答閾値は、前記第２タッチ時イベント応答閾値より大きい
ことを特徴とする請求項６に記載のロック解除装置。
【請求項９】
前記判断モジュールは、
前記端末のタッチスクリーンの一方のエッジから第１信号と当該第１信号より弱い第２信号が収集され、前記端末のタッチスクリーンのもう一方のエッジから当該第１信号より弱い少なくとも一つの第３信号が収集されたか否かを判断するための第１判断サブモジュールと、
前記第１信号、前記第２信号及び前記第３信号が収集された場合、前記端末がユーザーに把持されたと判断するための第１判定サブモジュールと、
含むことを特徴とする請求項６に記載のロック解除装置。
【請求項１０】
前記判断モジュールは、
収集された信号に基づいて、前記端末がユーザーの左手又は右手により把持されているか否かの判断するための第２判断サブモジュールを含み、
前記ロック解除モジュールは、
前記端末がユーザーの左手又は右手により把持され、且つ前記端末がスリープ状態にある場合、前記端末に対してロック解除を行うためのロック解除サブモジュールを含む、
ことを特徴とする請求項６に記載のロック解除装置。
【請求項１１】
請求項６乃至１０のいずれか１項に記載の装置と、
前記タッチスクリーンと、
前記端末の前記タッチスクリーンのエッジに位置するセンサと
を含むことを特徴とする端末。
【請求項１２】
前記センサと前記端末の表示スクリーンの間に位置する遮蔽層をさらに含むことを特徴とする請求項１１に記載の端末。
【発明の詳細な説明】
【技術分野】
【０００１】
本願は、電子機器技術分野に関し、特にロック解除方法、装置及び端末に関する。
【背景技術】
【０００２】
端末の機能が絶えず増加することに伴い、端末のより多くの新機能は、ユーザーに更なる便利さをもたらしている。
【０００３】
しかし、タッチスクリーンは、ヒューマン・マシン・インタラクション（ＨＭＩ：Ｈｕｍａｎ−Ｍａｃｈｉｎｅ  Ｉｎｔｅｒａｃｔｉｏｎ）の基本単位として誤作動の問題が存在する。タッチスクリーンの感度が高いため、ユーザーに操作の便利さをもたらすと同時に、誤作動の確率も大いに増えてしまう。例えば、携帯電話がポケットやカバンに入っている場合、様々な誤応答を生じ易い。携帯電話がスリープモードに設定されている場合も、誤作動により携帯電話が起動されることがあり、また、タッチスクリーンのタッチイベントに対する応答は、タッチ信号の強度に基づくため、タッチイベントの応答閾値として同じタッチ信号の強度を用いても、異なる使用環境でのタッチスクリーンの感度が一致しない問題を引き起こしてしまう。
【発明の概要】
【発明が解決しようとする課題】
【０００４】
従来技術に存在する上記のような問題を解決するために、本発明の実施例では誤作動の確率が減少できるロック解除方法、装置及び端末を提供する。
【課題を解決するための手段】
【０００５】
本発明の実施例の第１態様によれば、
端末のタッチスクリーンのエッジからの信号を収集するステップと、
収集された信号に基づいて、前記端末がユーザーに把持されているか否かを判断するステップと、
前記端末がユーザーに把持され、且つ前記端末がスリープ状態にある場合、前記端末に対してロック解除を行うステップと、
を含むロック解除方法を提供する。
【０００６】
一実施例において、前記方法は、
前記端末がユーザーに把持され、且つ前記端末のタッチスクリーンにおいてタッチイベントが発生した場合、前記タッチイベントに対して応答するステップをさらに含む。
【０００７】
一実施例において、前記方法は、
前記端末がユーザーに把持され、且つ前記端末のタッチスクリーンにおいてタッチイベントが発生した場合、第１タッチ時イベント応答閾値を用いてタッチイベントに対して応答するステップと、
前記端末がユーザーに把持されず、且つ前記端末のタッチスクリーンにおいてタッチイベントが発生した場合、第２タッチ時イベント応答閾値を用いてタッチイベントに対して応答するステップと、
をさらに含み、
前記第１タッチ時イベント応答閾値は、前記第２タッチ時イベント応答閾値より大きい。
【０００８】
一実施例において、収集された信号に基づいて、前記端末がユーザーに把持されているか否かを判断するステップは、
端末のタッチスクリーンの一方のエッジから第１信号と第１信号より弱い第２信号が収集され、端末のタッチスクリーンのもう一方のエッジから第１信号より弱い少なくとも一つの第３信号が収集されたか否かを判断するステップと、
前記第１信号、前記第２信号及び前記第３信号が収集された場合、前記端末がユーザーに把持されていると判断するステップと、
を含む。
【０００９】
一実施例において、収集された信号に基づいて、前記端末がユーザーに把持されているか否かを判断するステップは、
収集された信号に基づいて、前記端末がユーザーの左手又は右手により把持されているか否かを判断するステップを含み、
前記端末がユーザーに把持され、且つ前記端末がスリープ状態にある場合、前記端末に対してロック解除を行うステップは、
前記端末がユーザーの左手又は右手により把持され、且つ前記端末がスリープ状態にある場合、前記端末に対してロック解除を行うステップを含む。
【００１０】
本発明の実施例の第２態様によれば、
端末のタッチスクリーンのエッジからの信号を収集するための収集モジュールと、
収集された信号に基づいて、前記端末がユーザーに把持されているか否かを判断するための判断モジュールと、
前記端末がユーザーに把持され、且つ前記端末がスリープ状態にある場合、前記端末に対してロック解除を行うためのロック解除モジュールと
を含むロック解除装置を提供する。
【００１１】
一実施例において、前記装置は、
前記端末がユーザーに把持され、且つ前記端末のタッチスクリーンにおいてタッチイベントが発生した場合、前記タッチイベントに対して応答するための第１応答モジュールをさらに含む。
【００１２】
一実施例において、前記装置は、
前記端末がユーザーに把持され、且つ前記端末のタッチスクリーンにおいてタッチイベントが発生した場合、第１タッチ時イベント応答閾値を用いてタッチイベントに対して応答するための第２応答モジュールと、
前記端末がユーザーに把持されず、且つ前記端末のタッチスクリーンにおいてタッチイベントが発生した場合、第２タッチ時イベント応答閾値を用いてタッチイベントに対して応答するための第３応答モジュールと、
をさらに含み、
前記第１タッチ時イベント応答閾値は、前記第２タッチ時イベント応答閾値より大きい。
【００１３】
一実施例において、前記判断モジュールは、
前記端末のタッチスクリーンの一方のエッジから第１信号と第１信号より弱い第２信号が収集され、端末のタッチスクリーンのもう一方のエッジから第１信号より弱い少なくとも一つの第３信号が収集されたか否かを判断するための第１判断サブモジュールと、
前記第１信号、前記第２信号及び前記第３信号が収集された場合、前記端末がユーザーに把持されたと判断するための第１判定サブモジュールと、
を含む。
【００１４】
一実施例において、
前記判断モジュールは、
収集された信号に基づいて、前記端末がユーザーの左手又は右手により把持されているか否かの判断するための第２判断サブモジュールを含み、
前記ロック解除モジュールは、
前記端末がユーザーの左手又は右手により把持され、且つ前記端末がスリープ状態にある場合、前記端末に対してロック解除を行うためのロック解除サブモジュールを含む。
【００１５】
本発明の実施例の第３態様によれば、
上述のいずれか一つの装置と、
タッチスクリーンと、
端末の前記タッチスクリーンのエッジに位置するセンサと
を含む端末を提供する。
【００１６】
一実施例において、前記端末は、前記センサと前記端末の表示スクリーンの間に位置する遮蔽層をさらに含んでもよい。
【００１７】
本発明の実施例に係る技術案によれば、以下のような有益な効果を奏することができる。即ち、端末のタッチスクリーンの一方のエッジからの信号を収集し、収集された信号に基づいて、端末がユーザーに把持されているか否かを判断し、端末がユーザーに把持され、且つ端末がスリープ状態にある場合、端末に対してロック解除を行うことにより、ユーザーが端末を把持した後、引き続き端末に対してロック解除を行うことができるので、ユーザーのロック解除の便利性とスマート性を向上することができる。
【００１８】
以上の一般的な説明及び以下の詳細な説明は単なる例示及び解釈に過ぎず、本発明に限定として理解すべきではない。
【図面の簡単な説明】
【００１９】
以下の図面は、明細書に組み込まれて本明細書の一部分となり、本発明に合致する実施例を示しており、且つ明細書とともに本発明の原理を解釈するために用いられる。
【００２０】
【図１】図１は、本発明の例示的な一実施例に係るロック解除方法のフローチャートである。
【図２】図２は、本発明の例示的な一実施例に係るタッチスクリーンのエッジに自己容量型センサを設置した模式図である。
【図３】図３は、本発明の例示的な一実施例に係るユーザーが左手で端末を把持した時に収集される信号の模式図である。
【図４】図４は、本発明の例示的な一実施例に係るロック解除装置のブロック図である。
【図５】図５は、本発明の例示的な一実施例に係るもう一つのロック解除装置のブロック図である。
【図６】図６は、本発明の例示的な一実施例に係るもう一つのロック解除装置のブロック図である。
【図７】図７は、例示的な一実施例に係るロック解除装置に適用される端末のブロック図である。
【発明を実施するための形態】
【００２１】
以下、図面を参照して、例示的な実施例について詳細に説明する。以下の図面に関する説明において、別途の説明がない限り、異なる図面中の同一の符号は、同一又は類似する要素を示すこととする。以下の例示的実施例において説明する実施形態は、本発明と一致する全ての実施形態を代表するわけではない。逆に、それらは、添付の特許請求の範囲に記載される本発明の一部の態様と一致する装置及び方法の例に過ぎない。
【００２２】
図１は、本発明の例示的な一実施例に係るロック解除方法のフローチャートである。図１に示されるように、前記ロック解除方法は、端末例えば携帯電話、タブレットＰＣに適用され、以下のステップを含む。
【００２３】
ステップＳ１０１において、端末のタッチスクリーンのエッジからの信号を収集する。
【００２４】
例えば、本発明では、タッチスクリーンのエッジ領域において自己容量方式を採用することにより、比較的に高い信号対雑音比を提供することができ、また、マルチチャンネルによる信号収集により、エッジを把持する際の信号収集を実現することができる。図２に示されるように、タッチスクリーンの左右両側に複数の自己容量型センサを設置し、また、エッジ領域の信号対雑音比を更に向上するためには、これらのエッジにおける自己容量型センサの下方に一層の遮蔽層を更に加えて下方の表示スクリーンからの雑音による干渉を遮蔽してもよい。遮蔽層の要否は、実際の信号対雑音比が要求を満たしているか否かにより決められる。左右両側の自己容量型センサの下方に、二つの長方形の遮蔽層を設置してもよく、全画面にこの遮蔽層を設置して、下方の表示スクリーンからの雑音による干渉を遮蔽するようにしてもよい。
【００２５】
ステップＳ１０２において、収集された信号に基づいて、端末がユーザーに把持されているか否かを判断する。
【００２６】
一実施例において、前記ステップＳ１０２は、以下のステップＡ１−Ａ２を含んでもよい。
【００２７】
ステップＡ１において、端末のタッチスクリーンの一方のエッジから第１信号と第１信号より弱い第２信号が収集され、端末のタッチスクリーンのもう一方のエッジから第１信号より弱い少なくとも一つの第３信号が収集されたか否かを判断する。
【００２８】
ステップＡ２において、第１信号、第２信号及び第３信号が収集された場合、端末がユーザーに把持されていると判断する。
【００２９】
例えば、図３に示されるように、タッチスクリーンの一方側からは、それぞれ第２信号と第１信号に対応する把持手の親指と手のひらによるタッチ信号が収集され、タッチスクリーンのもう一方の側からは、第３信号に対応する当該把持手の他の指による一つ乃至四つのタッチ信号が収集される。図３は、左手が把持手である場合の状況を示している。タッチスクリーンの左側から収集されるのは、手のひらのタッチ信号即ち第１信号３０１、及び親指の信号即ち第２信号３０２であり、タッチスクリーンの右側からは左手の他の指による三つのタッチ信号、即ち第３信号３０３が識別される。
【００３０】
以上の信号に基づいて、ユーザーが端末を把持しているか否かが判断できるだけでなく、ユーザーが端末を把持しているのは左手か右手かを判断することもできる。タッチスクリーンの左側からの信号が、第１信号と第２信号であり、右側からの信号が第３信号である場合は、左手で把持していると判断され、タッチスクリーンの右側からの信号が、第１信号と第２信号であり、左側からの信号が第３信号である場合は、右手で把持していると判断される。
【００３１】
ステップＳ１０３において、端末がユーザーに把持され、且つ端末がスリープ状態にある場合、端末に対してロック解除を行う。
【００３２】
一実施例において、前記ステップＳ１０２は、収集された信号により前記端末がユーザーの左手又は右手により把持されているか否かを判断するステップを含んでもよい。
【００３３】
前記ステップＳ１０３は、端末がユーザーの左手又は右手により把持され、且つ端末がスリープ状態にある場合、端末に対しロック解除を行うステップを含んでもよい。
【００３４】
例えば、以上の信号により、端末がスリープ状態にある場合、タッチスクリーンを起動させて、エッジセンサによるスキャンを開始し、ユーザーが端末を把持している場合、タッチスクリーンが応答し、左手又は右手により把持されているかを判断する。該当する左手又は右手による把持である場合、端末のシステムに中断信号を送信して、ウェイクアップを完成し、ロック解除操作を行う。非該当の左手又は右手による把持であると判断した場合、端末のシステムを引き続きスリープ状態にさせ、ロック解除操作は行わない。
【００３５】
このように、ユーザーは余分な操作を必要とせず、システムのウェイクアップ、ロック解除を完成することができる。また、余分なアセンブリを必要とせず、従来のタッチスクリーンを利用して把持識別を完成する。
【００３６】
一実施例において、本発明の方法は、端末がユーザーに把持され、且つ端末のタッチスクリーンにおいてタッチイベントが発生した場合、タッチイベントに対して応答するステップをさらに含んでもよい。
【００３７】
例えば、以上の信号により、エッジ把持判断機能を働かせ、端末においてタッチイベントが発生すると、まず、端末がユーザーに把持されているか否かを検測する。ユーザーに把持されている場合、端末のシステムは、把持しているのは右手か左手かに関わらず、この時のタッチイベントに対して応答する。ユーザーに把持されていない場合、端末のシステムは今回のタッチイベントを無視する。
【００３８】
一実施例において、本発明の方法は以下のステップＢ１−Ｂ２をさらに含んでもよい。
【００３９】
ステップＢ１において、端末がユーザーに把持され、且つ端末のタッチスクリーンにおいてタッチイベントが発生した場合、第１タッチ時イベント応答閾値を用いてタッチイベントに対して応答する。
【００４０】
ステップＢ２において、端末がユーザーに把持されず、且つ端末のタッチスクリーンにおいてタッチイベントが発生した場合、第２タッチ時イベント応答閾値を用いてタッチイベントに対して応答する。
【００４１】
ここで、第１タッチ時イベント応答閾値は、第２タッチ時イベント応答閾値より大きい。
【００４２】
例えば、以上の信号により、エッジ把持判断機能を働かせ、タッチスクリーンにおいてタッチイベントが発生した場合、まず、端末がユーザーに把持されているか否かを判断する。ユーザーに把持されている場合、タッチ信号強度が比較的に強く、比較的高い第１タッチ時イベント応答閾値を用いて感度を下げる。ユーザーに把持されていない場合、信号強度が比較的に低く、比較的低い第２タッチ時イベント応答閾値を用いて感度を向上する。
【００４３】
このように、タッチスクリーンが異なる使用環境或いは使用モードにおいて、一致するタッチ感度を有することを実現し、タッチ感度の不一致の問題を解決した。
【００４４】
図４は、本発明の例示的な一実施例に係るロック解除装置のブロック図である。図４に示されるように、前記ロック解除装置は端末、例えば携帯電話、タブレットＰＣに適用され、
端末のタッチスクリーンのエッジからの信号を収集するように配置された収集モジュール４０１と、
収集された信号に基づいて、端末がユーザーに把持されているか否かを判断するように配置された判断モジュール４０２と、
端末がユーザーに把持され、且つ端末がスリープ状態にある場合、端末に対してロック解除を行うように配置されたロック解除モジュール４０３とを含む。
【００４５】
一実施例において、図５に示されるように、装置は、
端末がユーザーに把持され、且つ端末のタッチスクリーンにおいてタッチイベントが発生した場合、タッチイベントに対して応答するように配置された第１応答モジュール５０１をさらに含んでもよい。
【００４６】
一実施例において、図６に示されるように、装置は、
端末がユーザーに把持され、且つ端末のタッチスクリーンにおいてタッチイベントが発生した場合、第１タッチ時イベント応答閾値を用いてタッチイベントに対して応答するように配置された第２応答モジュール６０１と、
端末がユーザーに把持されず、且つ端末のタッチスクリーンにおいてタッチイベントが発生した場合、第２タッチ時イベント応答閾値を用いてタッチイベントに対して応答するように配置された第３応答モジュール６０２とをさらに含んでもよい。
【００４７】
ここで、第１タッチ時イベント応答閾値は、第２タッチ時イベント応答閾値より大きい。
【００４８】
一実施例において、判断モジュールは、
端末のタッチスクリーンの一方のエッジから第１信号と第１信号より弱い第２信号が収集され、端末のタッチスクリーンのもう一方のエッジから第１信号より弱い少なくとも一つの第３信号が収集されたか否かを判断するように配置された第１判断サブモジュールと、
第１信号、第２信号と第３信号が収集された場合、端末がユーザーに把持されたと判断するように配置された第１判定サブモジュールとをさらに含んでもよい。
【００４９】
一実施例において、判断モジュールは、
収集された信号により端末がユーザーの左手又は右手により把持されているか否かの判断するように配置された第２判断サブモジュールをさらに含んでもよく、
ロック解除モジュールは、
端末がユーザーの左手又は右手により把持され、且つ端末がスリープ状態にある場合、端末に対してロック解除を行うように配置されたロック解除サブモジュールをさらに含んでもよい。
【００５０】
本発明の実施例により提供される技術方案によれば、以下のような有益な効果が得られる。
【００５１】
端末のタッチスクリーンのエッジからの信号を収集し、収集された信号に基づいて、端末がユーザーに把持されているか否かを判断し、端末がユーザーに把持され、且つ端末がスリープ状態にある場合、端末に対してロック解除を行う。これにより、ユーザーが端末を把持してから、それに続いて端末をロック解除することができ、ユーザーの端末ロック解除の便利性とスマート性を向上することができる。
【００５２】
本発明では、上述のいずれか一つの装置、タッチスクリーン及び端末のタッチスクリーンのエッジに位置するセンサを含む端末を提供する。
【００５３】
一実施例において、端末は、センサと端末の表示スクリーンの間に位置する遮蔽層をさらに含んでもよい。
【００５４】
例えば、本発明は、タッチスクリーンのエッジ領域において自己容量方式を採用することにより、比較的に高い信号対雑音比を提供することができ、また、マルチチャンネルによる信号収集により、エッジを把持して場合の信号収集を実現することができる。図２に示されるように、タッチスクリーンの左右の両側に複数の自己容量型センサを設置し、また、エッジ領域での信号対雑音比を更に向上するためには、これらのエッジにおける自己容量型センサの下方に一層の遮蔽層を更に加えて、下方の表示スクリーンからの雑音による干渉を遮蔽してもよい。遮蔽層の要否は、実際の信号対雑音比が要求を満たしているか否かにより決められる。左右両側の自己容量型センサの下方に、二つの長方形の遮蔽層を設置してもよく、全画面にこの遮蔽層を設置して、下方の表示スクリーンの雑音による干渉を遮蔽するようにしてもよい。
【００５５】
図７は、例示的な一実施例に係るロック解除装置１２００のブロック図であり、当該装置は端末機器に適用される。例えば、装置１２００は、携帯電話、コンピュータ、デジタル放送端末、メッセージ送受信装置、ゲーム機、タブレットＰＣ、医療設備、フィットネス設備、ＰＤＡ（Ｐｅｒｓｏｎａｌ  Ｄｉｇｉｔａｌ  Ａｓｓｉｓｔａｎｔ）などであってもよい。
【００５６】
図７を参照すると、装置１２００は、以下の一つ或いは複数のアセンブリ、処理アセンブリ１２０２、メモリ１２０４、電源アセンブリ１２０６、マルチメディアアセンブリ１２０８、オーディオアセンブリ１２１０、入力／出力（Ｉ／Ｏ）インターフェイス１２１２、センサアセンブリ１２１４及び通信アセンブリ１２１６を含んでもよい。
【００５７】
処理アセンブリ１２０２は、通常制御装置１２００の全体の操作を制御し、例えば、表示、電話呼出し、データ通信、カメラ操作及び記録操作と関連する操作を制御する。処理アセンブリ１２０２は、一つまたは複数のプロセッサ１２２０を含んでもよく、これらによりインストラクションを実行することにより、前記方法の全部または一部のステップを完成する。なお、処理アセンブリ１２０２は、処理アセンブリ１２０２、とその他のアセンブリとの間のインタラクションの便宜上、一つまたは複数のモジュールを含んでもよい。例えば、処理アセンブリ１２０２は、マルチメディアアセンブリ１２０８と処理アセンブリ１２０２、との間のインタラクションの便宜上、マルチメディアモジュールを含んでもよい。
【００５８】
メモリ１２０４は、様々な種類のデータを記憶して装置１２００の操作を支援するように構成される。これらのデータには、例示的に、装置１２００上において操作される如何なるアプリケーションまたは方法のインストラクション（ｉｎｓｔｒｕｃｔｉｏｎ）、連絡先データ、電話帳データ、メッセージ、イメージ、動画などが含まれる。メモリ１２０４は、如何なる種類の発揮性または不発揮性の記憶装置、例えば、スタティックランダムアクセスメモリ（ＳＲＡＭ）、電気的消却・プログラム可能型読取専用メモリ（ＥＥＰＲＯＭ）、消却・プログラム可能型読取専用メモリ（ＥＰＲＯＭ）、プログラム可能型読取専用メモリ（ＰＲＯＭ）、読取専用メモリ（ＲＯＭ）、磁気メモリ、フラッシュメモリ、磁気ディスクまたは光ディスク、またはそれらの組み合わせにより実現されてもよい。
【００５９】
電源アセンブリ１２０６は、装置１２００の様々種類のアセンブリに電力が提供されるためのものである。電源アセンブリ１２０６は、電源管理システム、一つまたは複数の電源、及び装置１２００のための電力の生成、管理及び分配と関連するその他のアセンブリを含んでもよい。
【００６０】
マルチメディアアセンブリ１２０８は、前記装置１２００とユーザーとの間の、一つの出力インターフェイスを提供するディスプレイを含む。一部の実施例おいて、ディスプレイは液晶表示スクリーン（ＬＣＤ）とタッチパネル（ＴＰ）を含んでもよい。ディスプレイがタッチパネルを含む場合、ディスプレイは、ユーザーからの入力信号を受信できるようタッチスクリーンとして具現されてもよい。タッチパネルは、タッチ、スライド及びタッチパネル上の手振りを感知できるように一つまたは複数のタッチセンサを含む。前記タッチセンサは、タッチまたはスライド動作の境界を感知するのみならず、前記タッチまたはスライド操作と関係する持続時間と圧力を検出するようにしてもよい。一部の実施例において、マルチメディアアセンブリ１２０８は、一つのフロントカメラ及び／又はリアカメラを含む。装置１２００が、操作モード例えば撮影モードまたは動画モードに処している場合、フロントカメラ及び／又はリアカメラは外部からのマルチメディアデータを受信することができる。それぞれのフロントカメラとリアカメラは、一つの固定された光学レンズシステムであってもよく、焦点距離と光学ズーミング機能を有しているものであってもよい。
【００６１】
オーディオアセンブリ１２１０は、オーディオ信号を出力及び／又は入力するように構成される。例えば、オーディオアセンブリ１２１０は、一つのマイクロホン（ＭＩＣ）を含み、マイクロホンは、装置１２００が操作モード例えば呼出しモード、記録モード及び音声認識モードに処している場合、外部からのオーディオ信号を受信するように構成される。受信されたオーディオ信号は、さらにメモリ１２０４に記憶されるかまたは通信アセンブリ１２１６を介して送信されてもよい。一部の実施例において、オーディオアセンブリ１２１０は、さらにオーディオ信号を出力するための一つのスピカーを含んでもよい。
【００６２】
Ｉ／Ｏインターフェイス１２１２は、処理アセンブリ１２０２と周辺のインターフェイスモジュールの間にインターフェイスを提供し、前記周辺のインターフェイスモジュールは、キーボード、クリックホイール、ボタン等であってもよい。これらのボタンには、ホームボタン、音声ボタン、スタートボタン及びロックボタンが含まれてもよいが、これに限られるものではない。
【００６３】
センサアセンブリ１２１４は、装置１２００のために各方面の状態評価が提供されるための一つまたは複数のセンサを含んでもよい。例えば、センサアセンブリ１２１４は、装置１２００のオン／オフ状態、アセンブリの相対的位置決めを検出してもよく、例えば、前記アセンブリは、装置１２００の表示装置とキーパッドである。センサアセンブリ１２１４は、さらに装置１２００または装置１２００の一つのアセンブリの位置変更、ユーザーと装置１２００との接触の有無、装置１２００の方向または加速／減速及び装置１２００の温度変化を検出してもよい。センサアセンブリ１２１４は、近接センサを含んでもよく、当該近接センサは、如何なる物理的な接触がないとき付近物体の存在を検出するように構成される。センサアセンブリ１２１４は、さらに結像応用に用いられる光センサ、例えばＣＭＯＳまたはＣＣＤ画像センサを含んでもよい。一部の実施例において、当該センサアセンブリ１２１４は、加速度センサ、ジャイロセンサ、磁気センサ、圧力センサまたは温度センサをさらに含んでもよい。
【００６４】
通信アセンブリ１２１６は、装置１２００と其の他の設備との間の有線または無線方式による通信を便利にするように構成される。装置１２００は、通信基準に基づく無線ネットワーク、例えばＷｉＦｉ、２Ｇあるいは３Ｇ、またはこれらの組み合わせによって接続されることができる。一つの例示的な実施例において、通信アセンブリ１２１６は、放送チャネルを介して外部放送管理システムからの放送信号または放送と関連する情報を受信する。一つの例示的な実施例において、前記通信アセンブリ１２１６は、さらに近距離無線通信（ＮＦＣ）モジュールを含むことによって、狭域通信を促進する。例えば、ＮＦＣモジュールは、無線自動識別（ＲＦＩＤ）技術、赤外線通信協会（ＩｒＤＡ）技術、超広帯（ＵＷＢ）技術、ブルートゥース（ＢＴ）技術及びその他の技術に基づいて実現されてもよい。
【００６５】
例示的な実施例において、装置１２００は、上述の方法を実行するため、一つまたは複数の特定用途向け集積回路（ＡＳＩＣ）、デジタル信号プロセッサ（ＤＳＰ）、デジタル信号処理デバイス（ＤＳＰＤ）、プログラム可能論理回路（ＰＬＤ）、フィールド・プログラマブル・ゲート・アレイ（ＦＰＧＡ）、コントローラー、マイクロ・コントローラー、マイクロプロセッサまたはその他の電子素子により実現されてもよい。
【００６６】
例示的な実施例において、さらにインストラクションを含んだ非一時的コンピュータ読み出し可能記録媒体、例えばインストラクションを含んだメモリ１２０４を提供した。前記インストラクションは、装置１２００のプロセッサ１２２０によって実行され、それにより上述の方法の実行を完成することができる。例えば、前記非一時的コンピュータ読み出し可能記録媒体は、ＲＯＭ、ランダム・アクセス・メモリ（ＲＡＭ）、ＣＤ−ＲＯＭ、磁気テープ、ソフトディスク及び光データ記憶装置等であってもよい。
【００６７】
当業者は明細書を検討し、ここで開示した発明を実践した後、本発明のその他の実施方案を容易に思いつくことができる。本願は本発明の全ての変更、用途又は適応性の変化を含む。これらの変更、用途又は適応性の変化は本発明の一般的な原理に従っており、本明細書に未開示の本技術分野における周知技術又は慣用技術手段を含む。明細書及び実施例は例示的なものに過ぎず、本発明の真の範囲及び主旨は以下の特許請求の範囲によって示される。
【００６８】
本発明は、以上において説明され且つ図面により示された精確な構造に限定されず、その範囲を逸脱しない限り種々な変更及び修正を行うことができることは理解すべきである。本発明の範囲は付された特許請求の範囲のみにより限定される。
【００６９】
本願は、出願番号がＣＮ２０１５１００１７６３９．５で、出願日が２０１５年０１月１３日である中国特許出願と、出願番号がＣＮ２０１５１００４１２９０．９で、出願日が２０１５年０１月２７日である中国特許出願に基づき優先権を主張し、これらの中国特許出願のすべての内容を本願に援用する。
【図１】
2017513154.tif 000003
【図２】
2017513154.tif 000004
【図３】
2017513154.tif 000005
【図４】
2017513154.tif 000006
【図５】
2017513154.tif 000007
【図６】
2017513154.tif 000008
【図７】
2017513154.tif 000009
【手続補正書】
【提出日】平成27年10月27日(2015.10.27)
【手続補正１】
【補正対象書類名】明細書
【補正対象項目名】全文
【補正方法】変更
【補正の内容】
【発明の詳細な説明】
【技術分野】
【０００１】
本願は、電子機器技術分野に関し、特にロック解除方法、装置、端末、プログラム及び記録媒体に関する。
【背景技術】
【０００２】
端末の機能が絶えず増加することに伴い、端末のより多くの新機能は、ユーザーに更なる便利さをもたらしている。
【０００３】
しかし、タッチスクリーンは、ヒューマン・マシン・インタラクション（ＨＭＩ：Ｈｕｍａｎ−Ｍａｃｈｉｎｅ  Ｉｎｔｅｒａｃｔｉｏｎ）の基本単位として誤作動の問題が存在する。タッチスクリーンの感度が高いため、ユーザーに操作の便利さをもたらすと同時に、誤作動の確率も大いに増えてしまう。例えば、携帯電話がポケットやカバンに入っている場合、様々な誤応答を生じ易い。携帯電話がスリープモードに設定されている場合も、誤作動により携帯電話が起動されることがあり、また、タッチスクリーンのタッチイベントに対する応答は、タッチ信号の強度に基づくため、タッチイベントの応答閾値として同じタッチ信号の強度を用いても、異なる使用環境でのタッチスクリーンの感度が一致しない問題を引き起こしてしまう。
【発明の概要】
【発明が解決しようとする課題】
【０００４】
従来技術に存在する上記のような問題を解決するために、本発明の実施例では誤作動の確率が減少できるロック解除方法、装置、端末、プログラム及び記録媒体を提供する。
【課題を解決するための手段】
【０００５】
本発明の実施例の第１態様によれば、
端末のタッチスクリーンのエッジからの信号を収集するステップと、
収集された信号に基づいて、前記端末がユーザーに把持されているか否かを判断するステップと、
前記端末がユーザーに把持され、且つ前記端末がスリープ状態にある場合、前記端末に対してロック解除を行うステップと、
を含むロック解除方法を提供する。
【０００６】
一実施例において、前記方法は、
前記端末がユーザーに把持され、且つ前記端末のタッチスクリーンにおいてタッチイベントが発生した場合、前記タッチイベントに対して応答するステップをさらに含む。
【０００７】
一実施例において、前記方法は、
前記端末がユーザーに把持され、且つ前記端末のタッチスクリーンにおいてタッチイベントが発生した場合、第１タッチ時イベント応答閾値を用いてタッチイベントに対して応答するステップと、
前記端末がユーザーに把持されず、且つ前記端末のタッチスクリーンにおいてタッチイベントが発生した場合、第２タッチ時イベント応答閾値を用いてタッチイベントに対して応答するステップと、
をさらに含み、
前記第１タッチ時イベント応答閾値は、前記第２タッチ時イベント応答閾値より大きい。
【０００８】
一実施例において、収集された信号に基づいて、前記端末がユーザーに把持されているか否かを判断するステップは、
端末のタッチスクリーンの一方のエッジから第１信号と第１信号より弱い第２信号が収集され、端末のタッチスクリーンのもう一方のエッジから第１信号より弱い少なくとも一つの第３信号が収集されたか否かを判断するステップと、
前記第１信号、前記第２信号及び前記第３信号が収集された場合、前記端末がユーザーに把持されていると判断するステップと、
を含む。
【０００９】
一実施例において、収集された信号に基づいて、前記端末がユーザーに把持されているか否かを判断するステップは、
収集された信号に基づいて、前記端末がユーザーの左手又は右手により把持されているか否かを判断するステップを含み、
前記端末がユーザーに把持され、且つ前記端末がスリープ状態にある場合、前記端末に対してロック解除を行うステップは、
前記端末がユーザーの左手又は右手により把持され、且つ前記端末がスリープ状態にある場合、前記端末に対してロック解除を行うステップを含む。
【００１０】
本発明の実施例の第２態様によれば、
端末のタッチスクリーンのエッジからの信号を収集するための収集モジュールと、
収集された信号に基づいて、前記端末がユーザーに把持されているか否かを判断するための判断モジュールと、
前記端末がユーザーに把持され、且つ前記端末がスリープ状態にある場合、前記端末に対してロック解除を行うためのロック解除モジュールと
を含むロック解除装置を提供する。
【００１１】
一実施例において、前記装置は、
前記端末がユーザーに把持され、且つ前記端末のタッチスクリーンにおいてタッチイベントが発生した場合、前記タッチイベントに対して応答するための第１応答モジュールをさらに含む。
【００１２】
一実施例において、前記装置は、
前記端末がユーザーに把持され、且つ前記端末のタッチスクリーンにおいてタッチイベントが発生した場合、第１タッチ時イベント応答閾値を用いてタッチイベントに対して応答するための第２応答モジュールと、
前記端末がユーザーに把持されず、且つ前記端末のタッチスクリーンにおいてタッチイベントが発生した場合、第２タッチ時イベント応答閾値を用いてタッチイベントに対して応答するための第３応答モジュールと、
をさらに含み、
前記第１タッチ時イベント応答閾値は、前記第２タッチ時イベント応答閾値より大きい。
【００１３】
一実施例において、前記判断モジュールは、
前記端末のタッチスクリーンの一方のエッジから第１信号と第１信号より弱い第２信号が収集され、端末のタッチスクリーンのもう一方のエッジから第１信号より弱い少なくとも一つの第３信号が収集されたか否かを判断するための第１判断サブモジュールと、
前記第１信号、前記第２信号及び前記第３信号が収集された場合、前記端末がユーザーに把持されたと判断するための第１判定サブモジュールと、
を含む。
【００１４】
一実施例において、
前記判断モジュールは、
収集された信号に基づいて、前記端末がユーザーの左手又は右手により把持されているか否かの判断するための第２判断サブモジュールを含み、
前記ロック解除モジュールは、
前記端末がユーザーの左手又は右手により把持され、且つ前記端末がスリープ状態にある場合、前記端末に対してロック解除を行うためのロック解除サブモジュールを含む。
【００１５】
本発明の実施例の第３態様によれば、
上述のいずれか一つの装置と、
タッチスクリーンと、
端末の前記タッチスクリーンのエッジに位置するセンサと
を含む端末を提供する。
【００１６】
一実施例において、前記端末は、前記センサと前記端末の表示スクリーンの間に位置する遮蔽層をさらに含んでもよい。
本発明の実施例の第４態様によれば、
プロセッサに実行されることにより、第１態様による前記ロック解除方法を実現するプログラムを提供する。
本発明の実施例の第５態様によれば、
第４態様による前記プログラムが記録されている記録媒体を提供する。
【００１７】
本発明の実施例に係る技術案によれば、以下のような有益な効果を奏することができる。即ち、端末のタッチスクリーンの一方のエッジからの信号を収集し、収集された信号に基づいて、端末がユーザーに把持されているか否かを判断し、端末がユーザーに把持され、且つ端末がスリープ状態にある場合、端末に対してロック解除を行うことにより、ユーザーが端末を把持した後、引き続き端末に対してロック解除を行うことができるので、ユーザーのロック解除の便利性とスマート性を向上することができる。
【００１８】
以上の一般的な説明及び以下の詳細な説明は単なる例示及び解釈に過ぎず、本発明に限定として理解すべきではない。
【図面の簡単な説明】
【００１９】
以下の図面は、明細書に組み込まれて本明細書の一部分となり、本発明に合致する実施例を示しており、且つ明細書とともに本発明の原理を解釈するために用いられる。
【００２０】
【図１】図１は、本発明の例示的な一実施例に係るロック解除方法のフローチャートである。
【図２】図２は、本発明の例示的な一実施例に係るタッチスクリーンのエッジに自己容量型センサを設置した模式図である。
【図３】図３は、本発明の例示的な一実施例に係るユーザーが左手で端末を把持した時に収集される信号の模式図である。
【図４】図４は、本発明の例示的な一実施例に係るロック解除装置のブロック図である。
【図５】図５は、本発明の例示的な一実施例に係るもう一つのロック解除装置のブロック図である。
【図６】図６は、本発明の例示的な一実施例に係るもう一つのロック解除装置のブロック図である。
【図７】図７は、例示的な一実施例に係るロック解除装置に適用される端末のブロック図である。
【発明を実施するための形態】
【００２１】
以下、図面を参照して、例示的な実施例について詳細に説明する。以下の図面に関する説明において、別途の説明がない限り、異なる図面中の同一の符号は、同一又は類似する要素を示すこととする。以下の例示的実施例において説明する実施形態は、本発明と一致する全ての実施形態を代表するわけではない。逆に、それらは、添付の特許請求の範囲に記載される本発明の一部の態様と一致する装置及び方法の例に過ぎない。
【００２２】
図１は、本発明の例示的な一実施例に係るロック解除方法のフローチャートである。図１に示されるように、前記ロック解除方法は、端末例えば携帯電話、タブレットＰＣに適用され、以下のステップを含む。
【００２３】
ステップＳ１０１において、端末のタッチスクリーンのエッジからの信号を収集する。
【００２４】
例えば、本発明では、タッチスクリーンのエッジ領域において自己容量方式を採用することにより、比較的に高い信号対雑音比を提供することができ、また、マルチチャンネルによる信号収集により、エッジを把持する際の信号収集を実現することができる。図２に示されるように、タッチスクリーンの左右両側に複数の自己容量型センサを設置し、また、エッジ領域の信号対雑音比を更に向上するためには、これらのエッジにおける自己容量型センサの下方に一層の遮蔽層を更に加えて下方の表示スクリーンからの雑音による干渉を遮蔽してもよい。遮蔽層の要否は、実際の信号対雑音比が要求を満たしているか否かにより決められる。左右両側の自己容量型センサの下方に、二つの長方形の遮蔽層を設置してもよく、全画面にこの遮蔽層を設置して、下方の表示スクリーンからの雑音による干渉を遮蔽するようにしてもよい。
【００２５】
ステップＳ１０２において、収集された信号に基づいて、端末がユーザーに把持されているか否かを判断する。
【００２６】
一実施例において、前記ステップＳ１０２は、以下のステップＡ１−Ａ２を含んでもよい。
【００２７】
ステップＡ１において、端末のタッチスクリーンの一方のエッジから第１信号と第１信号より弱い第２信号が収集され、端末のタッチスクリーンのもう一方のエッジから第１信号より弱い少なくとも一つの第３信号が収集されたか否かを判断する。
【００２８】
ステップＡ２において、第１信号、第２信号及び第３信号が収集された場合、端末がユーザーに把持されていると判断する。
【００２９】
例えば、図３に示されるように、タッチスクリーンの一方側からは、それぞれ第２信号と第１信号に対応する把持手の親指と手のひらによるタッチ信号が収集され、タッチスクリーンのもう一方の側からは、第３信号に対応する当該把持手の他の指による一つ乃至四つのタッチ信号が収集される。図３は、左手が把持手である場合の状況を示している。タッチスクリーンの左側から収集されるのは、手のひらのタッチ信号即ち第１信号３０１、及び親指の信号即ち第２信号３０２であり、タッチスクリーンの右側からは左手の他の指による三つのタッチ信号、即ち第３信号３０３が識別される。
【００３０】
以上の信号に基づいて、ユーザーが端末を把持しているか否かが判断できるだけでなく、ユーザーが端末を把持しているのは左手か右手かを判断することもできる。タッチスクリーンの左側からの信号が、第１信号と第２信号であり、右側からの信号が第３信号である場合は、左手で把持していると判断され、タッチスクリーンの右側からの信号が、第１信号と第２信号であり、左側からの信号が第３信号である場合は、右手で把持していると判断される。
【００３１】
ステップＳ１０３において、端末がユーザーに把持され、且つ端末がスリープ状態にある場合、端末に対してロック解除を行う。
【００３２】
一実施例において、前記ステップＳ１０２は、収集された信号により前記端末がユーザーの左手又は右手により把持されているか否かを判断するステップを含んでもよい。
【００３３】
前記ステップＳ１０３は、端末がユーザーの左手又は右手により把持され、且つ端末がスリープ状態にある場合、端末に対しロック解除を行うステップを含んでもよい。
【００３４】
例えば、以上の信号により、端末がスリープ状態にある場合、タッチスクリーンを起動させて、エッジセンサによるスキャンを開始し、ユーザーが端末を把持している場合、タッチスクリーンが応答し、左手又は右手により把持されているかを判断する。該当する左手又は右手による把持である場合、端末のシステムに中断信号を送信して、ウェイクアップを完成し、ロック解除操作を行う。非該当の左手又は右手による把持であると判断した場合、端末のシステムを引き続きスリープ状態にさせ、ロック解除操作は行わない。
【００３５】
このように、ユーザーは余分な操作を必要とせず、システムのウェイクアップ、ロック解除を完成することができる。また、余分なアセンブリを必要とせず、従来のタッチスクリーンを利用して把持識別を完成する。
【００３６】
一実施例において、本発明の方法は、端末がユーザーに把持され、且つ端末のタッチスクリーンにおいてタッチイベントが発生した場合、タッチイベントに対して応答するステップをさらに含んでもよい。
【００３７】
例えば、以上の信号により、エッジ把持判断機能を働かせ、端末においてタッチイベントが発生すると、まず、端末がユーザーに把持されているか否かを検測する。ユーザーに把持されている場合、端末のシステムは、把持しているのは右手か左手かに関わらず、この時のタッチイベントに対して応答する。ユーザーに把持されていない場合、端末のシステムは今回のタッチイベントを無視する。
【００３８】
一実施例において、本発明の方法は以下のステップＢ１−Ｂ２をさらに含んでもよい。
【００３９】
ステップＢ１において、端末がユーザーに把持され、且つ端末のタッチスクリーンにおいてタッチイベントが発生した場合、第１タッチ時イベント応答閾値を用いてタッチイベントに対して応答する。
【００４０】
ステップＢ２において、端末がユーザーに把持されず、且つ端末のタッチスクリーンにおいてタッチイベントが発生した場合、第２タッチ時イベント応答閾値を用いてタッチイベントに対して応答する。
【００４１】
ここで、第１タッチ時イベント応答閾値は、第２タッチ時イベント応答閾値より大きい。
【００４２】
例えば、以上の信号により、エッジ把持判断機能を働かせ、タッチスクリーンにおいてタッチイベントが発生した場合、まず、端末がユーザーに把持されているか否かを判断する。ユーザーに把持されている場合、タッチ信号強度が比較的に強く、比較的高い第１タッチ時イベント応答閾値を用いて感度を下げる。ユーザーに把持されていない場合、信号強度が比較的に低く、比較的低い第２タッチ時イベント応答閾値を用いて感度を向上する。
【００４３】
このように、タッチスクリーンが異なる使用環境或いは使用モードにおいて、一致するタッチ感度を有することを実現し、タッチ感度の不一致の問題を解決した。
【００４４】
図４は、本発明の例示的な一実施例に係るロック解除装置のブロック図である。図４に示されるように、前記ロック解除装置は端末、例えば携帯電話、タブレットＰＣに適用され、
端末のタッチスクリーンのエッジからの信号を収集するように配置された収集モジュール４０１と、
収集された信号に基づいて、端末がユーザーに把持されているか否かを判断するように配置された判断モジュール４０２と、
端末がユーザーに把持され、且つ端末がスリープ状態にある場合、端末に対してロック解除を行うように配置されたロック解除モジュール４０３とを含む。
【００４５】
一実施例において、図５に示されるように、装置は、
端末がユーザーに把持され、且つ端末のタッチスクリーンにおいてタッチイベントが発生した場合、タッチイベントに対して応答するように配置された第１応答モジュール５０１をさらに含んでもよい。
【００４６】
一実施例において、図６に示されるように、装置は、
端末がユーザーに把持され、且つ端末のタッチスクリーンにおいてタッチイベントが発生した場合、第１タッチ時イベント応答閾値を用いてタッチイベントに対して応答するように配置された第２応答モジュール６０１と、
端末がユーザーに把持されず、且つ端末のタッチスクリーンにおいてタッチイベントが発生した場合、第２タッチ時イベント応答閾値を用いてタッチイベントに対して応答するように配置された第３応答モジュール６０２とをさらに含んでもよい。
【００４７】
ここで、第１タッチ時イベント応答閾値は、第２タッチ時イベント応答閾値より大きい。
【００４８】
一実施例において、判断モジュールは、
端末のタッチスクリーンの一方のエッジから第１信号と第１信号より弱い第２信号が収集され、端末のタッチスクリーンのもう一方のエッジから第１信号より弱い少なくとも一つの第３信号が収集されたか否かを判断するように配置された第１判断サブモジュールと、
第１信号、第２信号と第３信号が収集された場合、端末がユーザーに把持されたと判断するように配置された第１判定サブモジュールとをさらに含んでもよい。
【００４９】
一実施例において、判断モジュールは、
収集された信号により端末がユーザーの左手又は右手により把持されているか否かの判断するように配置された第２判断サブモジュールをさらに含んでもよく、
ロック解除モジュールは、
端末がユーザーの左手又は右手により把持され、且つ端末がスリープ状態にある場合、端末に対してロック解除を行うように配置されたロック解除サブモジュールをさらに含んでもよい。
【００５０】
本発明の実施例により提供される技術方案によれば、以下のような有益な効果が得られる。
【００５１】
端末のタッチスクリーンのエッジからの信号を収集し、収集された信号に基づいて、端末がユーザーに把持されているか否かを判断し、端末がユーザーに把持され、且つ端末がスリープ状態にある場合、端末に対してロック解除を行う。これにより、ユーザーが端末を把持してから、それに続いて端末をロック解除することができ、ユーザーの端末ロック解除の便利性とスマート性を向上することができる。
【００５２】
本発明では、上述のいずれか一つの装置、タッチスクリーン及び端末のタッチスクリーンのエッジに位置するセンサを含む端末を提供する。
【００５３】
一実施例において、端末は、センサと端末の表示スクリーンの間に位置する遮蔽層をさらに含んでもよい。
【００５４】
例えば、本発明は、タッチスクリーンのエッジ領域において自己容量方式を採用することにより、比較的に高い信号対雑音比を提供することができ、また、マルチチャンネルによる信号収集により、エッジを把持して場合の信号収集を実現することができる。図２に示されるように、タッチスクリーンの左右の両側に複数の自己容量型センサを設置し、また、エッジ領域での信号対雑音比を更に向上するためには、これらのエッジにおける自己容量型センサの下方に一層の遮蔽層を更に加えて、下方の表示スクリーンからの雑音による干渉を遮蔽してもよい。遮蔽層の要否は、実際の信号対雑音比が要求を満たしているか否かにより決められる。左右両側の自己容量型センサの下方に、二つの長方形の遮蔽層を設置してもよく、全画面にこの遮蔽層を設置して、下方の表示スクリーンの雑音による干渉を遮蔽するようにしてもよい。
【００５５】
図７は、例示的な一実施例に係るロック解除装置１２００のブロック図であり、当該装置は端末機器に適用される。例えば、装置１２００は、携帯電話、コンピュータ、デジタル放送端末、メッセージ送受信装置、ゲーム機、タブレットＰＣ、医療設備、フィットネス設備、ＰＤＡ（Ｐｅｒｓｏｎａｌ  Ｄｉｇｉｔａｌ  Ａｓｓｉｓｔａｎｔ）などであってもよい。
【００５６】
図７を参照すると、装置１２００は、以下の一つ或いは複数のアセンブリ、処理アセンブリ１２０２、メモリ１２０４、電源アセンブリ１２０６、マルチメディアアセンブリ１２０８、オーディオアセンブリ１２１０、入力／出力（Ｉ／Ｏ）インターフェイス１２１２、センサアセンブリ１２１４及び通信アセンブリ１２１６を含んでもよい。
【００５７】
処理アセンブリ１２０２は、装置１２００の全体の操作を制御し、例えば、表示、電話呼出し、データ通信、カメラ操作及び記録操作と関連する操作を制御する。処理アセンブリ１２０２は、一つまたは複数のプロセッサ１２２０を含んでもよく、これらによりインストラクションを実行することにより、前記方法の全部または一部のステップを完成する。なお、処理アセンブリ１２０２は、処理アセンブリ１２０２、とその他のアセンブリとの間のインタラクションの便宜上、一つまたは複数のモジュールを含んでもよい。例えば、処理アセンブリ１２０２は、マルチメディアアセンブリ１２０８と処理アセンブリ１２０２、との間のインタラクションの便宜上、マルチメディアモジュールを含んでもよい。
【００５８】
メモリ１２０４は、様々な種類のデータを記憶して装置１２００の操作を支援するように構成される。これらのデータには、例示的に、装置１２００上において操作される如何なるアプリケーションまたは方法のインストラクション（ｉｎｓｔｒｕｃｔｉｏｎ）、連絡先データ、電話帳データ、メッセージ、イメージ、動画などが含まれる。メモリ１２０４は、如何なる種類の発揮性または不発揮性の記憶装置、例えば、スタティックランダムアクセスメモリ（ＳＲＡＭ）、電気的消却・プログラム可能型読取専用メモリ（ＥＥＰＲＯＭ）、消却・プログラム可能型読取専用メモリ（ＥＰＲＯＭ）、プログラム可能型読取専用メモリ（ＰＲＯＭ）、読取専用メモリ（ＲＯＭ）、磁気メモリ、フラッシュメモリ、磁気ディスクまたは光ディスク、またはそれらの組み合わせにより実現されてもよい。
【００５９】
電源アセンブリ１２０６は、装置１２００の様々種類のアセンブリに電力が提供されるためのものである。電源アセンブリ１２０６は、電源管理システム、一つまたは複数の電源、及び装置１２００のための電力の生成、管理及び分配と関連するその他のアセンブリを含んでもよい。
【００６０】
マルチメディアアセンブリ１２０８は、前記装置１２００とユーザーとの間の、一つの出力インターフェイスを提供するディスプレイを含む。一部の実施例おいて、ディスプレイは液晶表示スクリーン（ＬＣＤ）とタッチパネル（ＴＰ）を含んでもよい。ディスプレイがタッチパネルを含む場合、ディスプレイは、ユーザーからの入力信号を受信できるようタッチスクリーンとして具現されてもよい。タッチパネルは、タッチ、スライド及びタッチパネル上の手振りを感知できるように一つまたは複数のタッチセンサを含む。前記タッチセンサは、タッチまたはスライド動作の境界を感知するのみならず、前記タッチまたはスライド操作と関係する持続時間と圧力を検出するようにしてもよい。一部の実施例において、マルチメディアアセンブリ１２０８は、一つのフロントカメラ及び／又はリアカメラを含む。装置１２００が、操作モード例えば撮影モードまたは動画モードに処している場合、フロントカメラ及び／又はリアカメラは外部からのマルチメディアデータを受信することができる。それぞれのフロントカメラとリアカメラは、一つの固定された光学レンズシステムであってもよく、焦点距離と光学ズーミング機能を有しているものであってもよい。
【００６１】
オーディオアセンブリ１２１０は、オーディオ信号を出力及び／又は入力するように構成される。例えば、オーディオアセンブリ１２１０は、一つのマイクロホン（ＭＩＣ）を含み、マイクロホンは、装置１２００が操作モード例えば呼出しモード、記録モード及び音声認識モードに処している場合、外部からのオーディオ信号を受信するように構成される。受信されたオーディオ信号は、さらにメモリ１２０４に記憶されるかまたは通信アセンブリ１２１６を介して送信されてもよい。一部の実施例において、オーディオアセンブリ１２１０は、さらにオーディオ信号を出力するための一つのスピカーを含んでもよい。
【００６２】
Ｉ／Ｏインターフェイス１２１２は、処理アセンブリ１２０２と周辺のインターフェイスモジュールの間にインターフェイスを提供し、前記周辺のインターフェイスモジュールは、キーボード、クリックホイール、ボタン等であってもよい。これらのボタンには、ホームボタン、音声ボタン、スタートボタン及びロックボタンが含まれてもよいが、これに限られるものではない。
【００６３】
センサアセンブリ１２１４は、装置１２００のために各方面の状態評価が提供されるための一つまたは複数のセンサを含んでもよい。例えば、センサアセンブリ１２１４は、装置１２００のオン／オフ状態、アセンブリの相対的位置決めを検出してもよく、例えば、前記アセンブリは、装置１２００の表示装置とキーパッドである。センサアセンブリ１２１４は、さらに装置１２００または装置１２００の一つのアセンブリの位置変更、ユーザーと装置１２００との接触の有無、装置１２００の方向または加速／減速及び装置１２００の温度変化を検出してもよい。センサアセンブリ１２１４は、近接センサを含んでもよく、当該近接センサは、如何なる物理的な接触がないとき付近物体の存在を検出するように構成される。センサアセンブリ１２１４は、さらに結像応用に用いられる光センサ、例えばＣＭＯＳまたはＣＣＤ画像センサを含んでもよい。一部の実施例において、当該センサアセンブリ１２１４は、加速度センサ、ジャイロセンサ、磁気センサ、圧力センサまたは温度センサをさらに含んでもよい。
【００６４】
通信アセンブリ１２１６は、装置１２００と其の他の設備との間の有線または無線方式による通信を便利にするように構成される。装置１２００は、通信基準に基づく無線ネットワーク、例えばＷｉＦｉ、２Ｇあるいは３Ｇ、またはこれらの組み合わせによって接続されることができる。一つの例示的な実施例において、通信アセンブリ１２１６は、放送チャネルを介して外部放送管理システムからの放送信号または放送と関連する情報を受信する。一つの例示的な実施例において、前記通信アセンブリ１２１６は、さらに近距離無線通信（ＮＦＣ）モジュールを含むことによって、狭域通信を促進する。例えば、ＮＦＣモジュールは、無線自動識別（ＲＦＩＤ）技術、赤外線通信協会（ＩｒＤＡ）技術、超広帯（ＵＷＢ）技術、ブルートゥース（ＢＴ）技術及びその他の技術に基づいて実現されてもよい。
【００６５】
例示的な実施例において、装置１２００は、上述の方法を実行するため、一つまたは複数の特定用途向け集積回路（ＡＳＩＣ）、デジタル信号プロセッサ（ＤＳＰ）、デジタル信号処理デバイス（ＤＳＰＤ）、プログラム可能論理回路（ＰＬＤ）、フィールド・プログラマブル・ゲート・アレイ（ＦＰＧＡ）、コントローラー、マイクロ・コントローラー、マイクロプロセッサまたはその他の電子素子により実現されてもよい。
【００６６】
例示的な実施例において、さらにインストラクションを含んだ非一時的コンピュータ読み出し可能記録媒体、例えばインストラクションを含んだメモリ１２０４を提供した。前記インストラクションは、装置１２００のプロセッサ１２２０によって実行され、それにより上述の方法の実行を完成することができる。例えば、前記非一時的コンピュータ読み出し可能記録媒体は、ＲＯＭ、ランダム・アクセス・メモリ（ＲＡＭ）、ＣＤ−ＲＯＭ、磁気テープ、ソフトディスク及び光データ記憶装置等であってもよい。
【００６７】
当業者は明細書を検討し、ここで開示した発明を実践した後、本発明のその他の実施方案を容易に思いつくことができる。本願は本発明の全ての変更、用途又は適応性の変化を含む。これらの変更、用途又は適応性の変化は本発明の一般的な原理に従っており、本明細書に未開示の本技術分野における周知技術又は慣用技術手段を含む。明細書及び実施例は例示的なものに過ぎず、本発明の真の範囲及び主旨は以下の特許請求の範囲によって示される。
【００６８】
本発明は、以上において説明され且つ図面により示された精確な構造に限定されず、その範囲を逸脱しない限り種々な変更及び修正を行うことができることは理解すべきである。本発明の範囲は付された特許請求の範囲のみにより限定される。
【００６９】
本願は、出願番号がＣＮ２０１５１００１７６３９．５で、出願日が２０１５年０１月１３日である中国特許出願と、出願番号がＣＮ２０１５１００４１２９０．９で、出願日が２０１５年０１月２７日である中国特許出願に基づき優先権を主張し、これらの中国特許出願のすべての内容を本願に援用する。
【手続補正２】
【補正対象書類名】特許請求の範囲
【補正対象項目名】全文
【補正方法】変更
【補正の内容】
【特許請求の範囲】
【請求項１】
端末のタッチスクリーンのエッジからの信号を収集するステップと、
収集された信号に基づいて、前記端末がユーザーに把持されているか否かを判断するステップと、
前記端末がユーザーに把持され、且つ前記端末がスリープ状態にある場合、前記端末に対してロック解除を行うステップと、
を含むことを特徴とするロック解除方法。
【請求項２】
前記端末がユーザーに把持され、且つ前記端末のタッチスクリーンにおいてタッチイベントが発生した場合、前記タッチイベントに対して応答するステップ、をさらに含むことを特徴とする請求項１に記載のロック解除方法。
【請求項３】
前記端末がユーザーに把持され、且つ前記端末のタッチスクリーンにおいてタッチイベントが発生した場合、第１タッチ時イベント応答閾値を用いてタッチイベントに対して応答するステップと、
前記端末がユーザーに把持されず、且つ前記端末のタッチスクリーンにおいてタッチイベントが発生した場合、第２タッチ時イベント応答閾値を用いてタッチイベントに対して応答するステップと、
をさらに含み、
前記第１タッチ時イベント応答閾値は、前記第２タッチ時イベント応答閾値より大きいことを特徴とする請求項１に記載のロック解除方法。
【請求項４】
収集された信号に基づいて、前記端末がユーザーに把持されているか否かを判断するステップは、
前記端末のタッチスクリーンの一方のエッジから第１信号と当該第１信号より弱い第２信号が収集され、前記端末のタッチスクリーンのもう一方のエッジから当該第１信号より弱い少なくとも一つの第３信号が収集されたか否かを判断するステップと、
前記第１信号、前記第２信号及び前記第３信号が収集された場合、前記端末がユーザーに把持されていると判断するステップと、
を含むことを特徴とする請求項１に記載のロック解除方法。
【請求項５】
収集された信号に基づいて、前記端末がユーザーに把持されているか否かを判断するステップは、
収集された信号に基づいて、前記端末がユーザーの左手又は右手により把持されているか否かを判断するステップを含み、
前記端末がユーザーに把持され、且つ前記端末がスリープ状態にある場合、前記端末に対してロック解除を行うステップは、
前記端末がユーザーの左手又は右手により把持され、且つ前記端末がスリープ状態にある場合、前記端末に対してロック解除を行うステップを含む、
ことを特徴とする請求項１に記載のロック解除方法。
【請求項６】
端末のタッチスクリーンのエッジからの信号を収集するための収集モジュールと、
収集された信号に基づいて、前記端末がユーザーに把持されているか否かを判断するための判断モジュールと、
前記端末がユーザーに把持され、且つ前記端末がスリープ状態にある場合、前記端末に対してロック解除を行うためのロック解除モジュールと、
を含むことを特徴とするロック解除装置。
【請求項７】
前記端末がユーザーに把持され、且つ前記端末のタッチスクリーンにおいてタッチイベントが発生した場合、前記タッチイベントに対して応答するための第１応答モジュール、をさらに含むことを特徴とする請求項６に記載のロック解除装置。
【請求項８】
前記端末がユーザーに把持され、且つ前記端末のタッチスクリーンにおいてタッチイベントが発生した場合、第１タッチ時イベント応答閾値を用いてタッチイベントに対して応答するための第２応答モジュールと、
前記端末がユーザーに把持されず、且つ前記端末のタッチスクリーンにおいてタッチイベントが発生した場合、第２タッチ時イベント応答閾値を用いてタッチイベントに対して応答するための第３応答モジュールと、
をさらに含み、
前記第１タッチ時イベント応答閾値は、前記第２タッチ時イベント応答閾値より大きい
ことを特徴とする請求項６に記載のロック解除装置。
【請求項９】
前記判断モジュールは、
前記端末のタッチスクリーンの一方のエッジから第１信号と当該第１信号より弱い第２信号が収集され、前記端末のタッチスクリーンのもう一方のエッジから当該第１信号より弱い少なくとも一つの第３信号が収集されたか否かを判断するための第１判断サブモジュールと、
前記第１信号、前記第２信号及び前記第３信号が収集された場合、前記端末がユーザーに把持されたと判断するための第１判定サブモジュールと、
含むことを特徴とする請求項６に記載のロック解除装置。
【請求項１０】
前記判断モジュールは、
収集された信号に基づいて、前記端末がユーザーの左手又は右手により把持されているか否かの判断するための第２判断サブモジュールを含み、
前記ロック解除モジュールは、
前記端末がユーザーの左手又は右手により把持され、且つ前記端末がスリープ状態にある場合、前記端末に対してロック解除を行うためのロック解除サブモジュールを含む、
ことを特徴とする請求項６に記載のロック解除装置。
【請求項１１】
請求項６乃至１０のいずれか１項に記載の装置と、
前記タッチスクリーンと、
前記端末の前記タッチスクリーンのエッジに位置するセンサと
を含むことを特徴とする端末。
【請求項１２】
前記センサと前記端末の表示スクリーンの間に位置する遮蔽層をさらに含むことを特徴とする請求項１１に記載の端末。
【請求項１３】
プロセッサに実行されることにより、請求項１から請求項５のいずれか１項に記載のロック解除方法を実現することを特徴とするプログラム。
【請求項１４】
請求項１３に記載のプログラムが記録された記録媒体。
【国際調査報告】
2017513154.tif 000010
2017513154.tif 000011
2017513154.tif 000012
2017513154.tif 000013